(57)【要約】【課題】一見しただけで不正行為を容易に且つ短時間に認識することが可能な遊技機を提供する。【解決手段】遊技機本体枠(内枠)６に取り付けられ、制御基板(主制御基板２２)を収容する基板ケース２２ｋと、基板ケースから遊技機本体枠にかけて貼着される封印シール３０とを備え、封印シールには、ＩＣタグ４０が取り付けられているとともに、当該封印シールを剥離すると、復元困難な再利用防止手段が設けられている。再利用防止手段は、例えば封印シールの貼着面に識別情報(例えば、封印の文字)が付されて構成されており、封印シールを貼着した後、剥離すると、識別情報が基板ケース及び／又は遊技機本体枠に貼着されたままの状態となる。【選択図】図２
2007296239.tif 000002
【特許請求の範囲】
【請求項１】
遊技機本体枠に取り付けられ、制御基板を収容する基板ケースと、
前記基板ケースから前記遊技機本体枠にかけて貼着される封印シールとを備えており、
前記封印シールには、ＩＣタグが取り付けられているとともに、当該封印シールを剥離すると、復元困難な再利用防止手段が設けられていることを特徴とする遊技機。
【請求項２】
前記再利用防止手段は、前記封印シールの貼着面に識別情報が付されて構成されており、前記封印シールを貼着した後、剥離すると、前記識別情報が前記基板ケース及び／又は前記遊技機本体枠に貼着されたままの状態となることを特徴とする請求項１に記載の遊技機。
【請求項３】
前記封印シールには、前記ＩＣタグを動作させるためのアンテナコイルが貼着されており、前記再利用防止手段は、前記封印シールを貼着した後、剥離すると、前記アンテナコイルの一部又は全部が前記基板ケース及び／又は前記遊技機本体枠に貼着されたままの状態となることを特徴とする請求項１又は２に記載の遊技機。
【請求項４】
前記ＩＣタグは、前記封印シールに対する一定量の張力で破壊される破壊部と、前記破壊部が破壊されたことを検出する破壊検出部とを有することを特徴とする請求項１〜３のいずれかに記載の遊技機。
【発明の詳細な説明】
【技術分野】
【０００１】
本発明は、例えば基板ケースから遊技機本体枠にかけて貼着された封印シールを剥離した際に、その痕跡が認識可能となる遊技機に関する。
【背景技術】
【０００２】
従来から、ＩＣタグを用いて物流管理や製品管理を行う種々の技術が知られている。例えば特許文献１には、遊技機の基板ケースにＩＣタグを貼着し、専用の読取装置でＩＣタグから情報を読み取って各種のチェックを行う技術が提案されている。この場合、基板ケースには、当該遊技機における各種の遊技制御を行う主制御基板が収容されている。
【特許文献１】特開２０００−２８８２１８号公報
【発明の開示】
【発明が解決しようとする課題】
【０００３】
ところで、再び基板ケースを遊技機本体枠に取り付ける際に、不正行為によって例えば主制御基板がすりかえられた場合、基板ケースに貼着されたＩＣタグを一見しただけでは不正行為が介在したことを認識することができない場合がある。この場合、専用の読取装置でＩＣタグから情報を読み取ることで、不正行為の有無をチェックすることが可能である。しかしながら、遊技場には多数の遊技機が設置されているため、このようなチェックをそれぞれの遊技機毎に行うことは、手間がかかるだけで無く、チェックに要する時間もかかる。このため、遊技場側の人的負担や経済的負担が増加してしまう。
【０００４】
本発明は、このような問題を解決するためになされており、その目的は、一見しただけで不正行為を容易に且つ短時間に認識することが可能な遊技機を提供することにある。
【課題を解決するための手段】
【０００５】
このような目的を達成するために、第１の発明は、遊技機本体枠に取り付けられ、制御基板を収容する基板ケースと、前記基板ケースから前記遊技機本体枠にかけて貼着される封印シールとを備えており、前記封印シールには、ＩＣタグが取り付けられているとともに、当該封印シールを剥離すると、復元困難な再利用防止手段が設けられている。
【０００６】
第１の発明によれば、基板ケースを遊技機本体枠から取り外すには、封印シールを剥離させる必要があり、当該封印シールを剥離するとその痕跡が残るため、基板ケース内の制御基板がすりかえられた場合でも、その旨を一見しただけで容易に且つ短時間に認識することができる。また、第１の発明によれば、ＩＣタグを封印シールに取り付けたことで、物流管理も可能とする機能を有するため、諸費用(例えば、遊技機の製造コスト)の低減化にも優れている。
【０００７】
また、第２の発明において、前記再利用防止手段は、前記封印シールの貼着面に識別情報が付されて構成されており、前記封印シールを貼着した後、剥離すると、前記識別情報が前記基板ケース及び／又は前記遊技機本体枠に貼着されたままの状態となる。
第２の発明によれば、封印シールを剥離すると、識別情報(例えば、封印の文字)が基板ケースや遊技機本体枠に残るため、その痕跡がより容易に認識することができる。
【０００８】
また、第３の発明において、前記封印シールには、前記ＩＣタグを動作させるためのアンテナコイルが貼着されており、前記再利用防止手段は、前記封印シールを貼着した後、剥離すると、前記アンテナコイルの一部又は全部が前記基板ケース及び／又は前記遊技機本体枠に貼着されたままの状態となる。
第３の発明によれば、封印シールを剥離すると、アンテナコイルが基板ケースや遊技機本体枠に残るため、その痕跡がより容易に認識することができるだけで無く、ＩＣタグとしての機能も損失するため、不正防止により優れたものとすることができる。
【０００９】
また、第４の発明において、前記ＩＣタグは、前記封印シールに対する一定量の張力で破壊される破壊部(例えば、破断ＳＷ)と、前記破壊部が破壊されたことを検出する破壊検出部(例えば、ＣＰＵ)とを有する。
第４の発明によれば、封印シールが剥離されたことをＩＣタグによって検出することができるため、例えば専用の読取装置を使用すれば、物流の過程でいつ封印シールが剥離されたのかを容易に特定することが可能となる。
【発明の効果】
【００１０】
本発明によれば、一見しただけで不正行為を簡単に且つ短時間に認識することが可能な遊技機を実現することができる。
【発明を実施するための最良の形態】
【００１１】
以下、本発明の一実施の形態に係る遊技機について、添付図面を参照して説明する。なお、遊技機としては、弾球式遊技機(例えば、パチンコ機)や回胴式遊技機(例えば、パチスロ機、スロットマシン)などを適用することができるが、ここでは一例として、パチンコ機を想定する。
【００１２】
図１に示すように、本実施の形態のパチンコ機２は、当該パチンコ機２を遊技場の遊技島に取り付けるための外枠４と、外枠４の前面に回動自在に軸支された内枠(遊技機本体枠)６と、内枠(遊技機本体枠)６の背後に嵌装された図示しない演出表示装置(ＬＣＤ(Liquid Crystal Display)などの可変表示装置)とを備えており、内枠６の前面には、例えば入賞口などの遊技部材(図示しない)を備えて構成された遊技盤(図示しない)が着脱自在に装着されている。
【００１３】
更に、内枠(遊技機本体枠)６の前面には、ガラス板８が嵌められたフロント扉１０が回動自在に軸支されており、フロント扉１０の上側には光による演出を行うランプ１２が取り付けられている。また、内枠６の前面下部側には、貸出球や賞球を受け止める上皿１４と、上皿１４が満杯時に溢れた遊技媒体(遊技球)を受け止める下皿１６と、ハンドル１８と、音による演出を行うスピーカ２０とが設けられている。
【００１４】
この場合、遊技に際しハンドル１８のレバー１８ａを時計回り方向に回転させると、発射ソレノイド(図示しない)が作動し、遊技媒体(遊技球)がガイドレール(図示しない)に沿って遊技領域に打ち出される。そして、打ち出された遊技媒体(遊技球)が例えば入賞口などの遊技部材に入賞することで、所定数の賞球が上皿１４に払い出されることになる。
【００１５】
このような遊技は、図２(ａ)に示すように、内枠(遊技機本体枠)６の背面に設けられた各種制御基板(例えば、主制御基板２２、副制御基板２４、電源基板２６、払出制御基板２８)によって制御されており、各種制御基板は、それぞれ基板ケース22k,24k,26k,28kに収容された状態で内枠(遊技機本体枠)６の所定位置に配置されている。なお、主制御基板２２は、基板ケース２２ｋに収容された状態で内枠(遊技機本体枠)６に着脱自在に取り付けられており(図４参照)、例えば主制御基板２２のメンテナンスや交換時には、基板ケース２２ｋごと内枠(遊技機本体枠)６から取り外される。
【００１６】
本実施の形態において、基板ケース２２ｋから内枠(遊技機本体枠)６にかけて封印シール３０が貼着されており、内枠(遊技機本体枠)６から基板ケース２２ｋを取り外す際に、封印シール３０を剥離させるようになっている。図２(ｂ),(ｃ)に示すように、封印シール３０は、例えば接着剤などで形成された粘着層３２と、粘着層３２上に形成された印刷層３４と、印刷層３４を保護するために形成された樹脂製の表面層３６とを有しており、その全体が粘着層３２によって所定の封印対象部位(例えば、基板ケース２２ｋから内枠(遊技機本体枠)６にわたる部位)に貼着させることができる。
【００１７】
また、封印シール３０には、粘着層３２と印刷層３４との間にＩＣタグ設置層３８が設けられており、ＩＣタグ設置層３８には、本体制御部３９と当該本体制御部３９を動作させるためのアンテナコイル４２とからなるＩＣタグ４０が敷設されているとともに、当該封印シール３０を剥離すると、復元困難な再利用防止手段が設けられている。この場合、再利用防止手段は、封印シール３０を剥離しようとすると、その一部が封印対象部位に目視可能な状態で残留するように構成されており、これにより、封印シール３０の剥離を一見しただけで短時間に認識可能とする。
【００１８】
本実施の形態では、再利用防止手段の一例として、封印シール３０の貼着面に識別情報が付されており、封印シール３０を封印対象部位に貼着した後、剥離すると、識別情報が基板ケース２２ｋ及び／又は内枠(遊技機本体枠)６に貼着されたままの状態で残留する。ここで、識別情報として、例えば印刷層３４に色インクを含浸させて「封印」の文字を印刷した場合において、封印シール３０を剥離しようとすると、例えば図３(ａ)に示すように、印刷層３４の一部(痕跡)が封印対象部位に残ることで「封印」の文字が目視可能な状態で残留する。
【００１９】
これにより、封印シール３０の剥離を一見して認識することができるため、例えば基板ケース２２ｋ内の主制御基板２２がすりかえられた場合でも、その旨を一見しただけで容易に且つ短時間に認識することができる。この場合、「封印」の文字を残留させる方法としては、例えば「封印」の文字を囲むように印刷層３４に予め切れ込みを施しておく方法や、「封印」の文字が印刷された部分の貼着力をこれ以外の部分の貼着力よりも強く設定する方法などを想定することができる。
【００２０】
また、再利用防止手段の他の例として、封印シール３０を貼着した後、剥離すると、例えば図３(ａ)に示すように、アンテナコイル４２の一部(痕跡)が基板ケース２２ｋ及び／又は内枠(遊技機本体枠)６に貼着されたままの状態で残留するように構成しても良い。このような構成によれば、残留したアンテナコイル４２の痕跡により、封印シール３０の剥離を一見して認識することができるだけで無く、ＩＣタグ４０としての機能も損失するため、不正防止により優れたものとすることができる。
【００２１】
これにより、例えば基板ケース２２ｋ内の主制御基板２２がすりかえられた場合でも、その旨を一見しただけで容易に且つ短時間に認識することができるだけで無く、ＩＣタグ４０に記憶されている識別情報(例えば、タグ固有番号)の改竄を防止することができる。この場合、アンテナコイル４２を残留させる方法としては、例えばアンテナコイル４２の所定箇所に予め切れ込みを施しておく方法や、アンテナコイル４２の強度を部分的に弱くしておく方法などを想定することができる。
【００２２】
ここで、ＩＣタグ４０の構成例について簡単に説明する。
例えば図５に示すように、ＩＣタグ４０には、上述したアンテナコイル４２に加えて更に、例えばタグ固有番号などの識別情報が予め記憶されたメモリ４４と、変復調回路４６と、ＣＰＵ４８と、電源制御回路５０とからなる本体制御部３９が内蔵されている。この場合、専用の読取装置５２のアンテナ５４からＩＣタグ４０に読取信号(変復調回路５６で変調された読取信号)が送信されると、その読取信号は、アンテナコイル４２を介して受信され、変復調回路４６で復調される。
【００２３】
このとき、アンテナコイル４２には誘起電圧が発生しており、これを電源制御回路５０が制御することで、内蔵電池を不要としたＩＣタグ４０の動作制御が行われる。これにより、ＣＰＵ４８は、復調された読取信号に基づいて、メモリ４４に記憶されている識別情報(タグ固有番号)を読み出し、これを変復調回路４６で変調させてアンテナコイル４２から読取装置５２に送信する。そして、読取装置５２において、アンテナ５４を介して受信した変調信号(タグ固有番号)が変復調回路５６で復調され、ＣＰＵ５８によってＩＣタグ４０の識別情報(タグ固有番号)が読み取られる。
【００２４】
また、本実施の形態において、上述したようなＩＣタグ４０には、封印シール３０に対する一定量の張力で破壊される破壊部と、破壊部が破壊されたことを検出する破壊検出部とが設けられている。ここで、例えば図２(ｂ),(ｃ)に示すように、破壊部としては、ＩＣタグ設置層３８に敷設され且つ本体制御部３９に接続された破断ＳＷ６０を適用し、破壊検出部としては、ＣＰＵ４８を適用する。この場合、破断ＳＷ(破壊部)６０は、ＩＣタグ４０のＣＰＵ４８によって破壊(破断)の有無が検出され、その検出結果は、ＩＣタグ４０のメモリ４４から読み出された識別情報(タグ固有番号)とともに読取装置５２に送信される。
【００２５】
この場合、破断ＳＷ６０は、再利用防止手段としての機能を有しており、封印シール３０を封印対象部位に貼着した後、剥離すると、例えば図３(ｂ)に示すように、破断ＳＷ６０の一部が基板ケース２２ｋ及び／又は内枠(遊技機本体枠)６に貼着されたままの状態で残留する。このとき、破断ＳＷ６０は、信号不通のオフ状態となるため、ＩＣタグ４０のＣＰＵ４８は、破壊(破断)有りと検出し、その検出結果を読取装置５２に送信する。これによれば、封印シール３０が剥離されたことをＩＣタグ４０によって検出することができるため、例えば物流の過程でいつ封印シール３０が剥離されたのかを容易に特定することが可能となる。
【００２６】
ここで、基板ケース２２ｋに封印シール３０を貼着したパチンコ機２の物流過程について、図５及び図６を参照して説明する。なお、以下の説明では、物流過程でいつ封印シール３０が剥離されたのかを特定する場合を想定する。
まず、パチンコ機２の製造工場では、管理者によって、主制御基板２２を収容した基板ケース２２ｋ(パチンコ機２)と封印シール３０に記憶されている例えばタグ固有番号とが対応付けられて管理され、その管理データが読取装置５２のデータセンタ６２や記憶部６４に送信されて記憶される。
【００２７】
この場合、例えば出荷検品時において、読取装置５２の操作部６６を操作して、封印シール３０からタグ固有番号を読み取ると共に、読み取ったタグ固有番号に基づいて通信部６８からデータセンタ６２に問い合わせをすることで、例えばＩＣタグ４０が不正に交換されていないかを判定することができる。このとき、破断ＳＷ６０が破壊(破断)されて信号不通のオフ状態となっていれば、その旨の検出結果が読取装置５２に送信されるため、これを表示部７０に表示させることにより、製造工場の段階において封印シール３０が剥離されたことを容易に特定することができる。なお、例えば破断ＳＷ６０が破壊(破断)されているとき、音声出力部(スピーカ)７２から警告音を発生させるようにしても良い。
【００２８】
製造工場から出荷されたパチンコ機２は、流通ラインに沿って目的の遊技場に納品される。ここで、流通ラインにおいても、各種流通業者が読取装置５２の操作部６６を操作して、封印シール３０からタグ固有番号を読み取ってデータセンタ６２に問い合わせをすることで、上記製造工場の場合と同様に、ＩＣタグ４０が不正に交換されているか否かの判定が可能であると共に、破断ＳＷ６０が破壊(破断)された旨の検出結果によって、流通ラインの段階において封印シール３０が剥離されたことを容易に特定することができる。
【００２９】
そして、遊技場に納品されたパチンコ機２について納品検査を行う際に、読取装置５２を操作することで、不正行為が施されていないパチンコ機２のみを稼働させることが可能となる。
以上、本実施の形態によれば、ＩＣタグ４０を封印シール３０に取り付けたことで、物流管理も可能とする機能を有するパチンコ機２を実現することができる。これにより、例えば製造工場において出荷検品などの各種管理に要する人的手間や経済的負担を大幅に削減することができるとともに、ＩＣタグ４０の機能と封印シール３０の機能とを一体化したことにより、例えばパチンコ機２の製造コストを大幅に低減することができる。
【００３０】
なお、上述した実施の形態では、封印シール３０の貼着位置について特に言及しなかったが、封印シール３０の貼着位置の一例としては、例えば図４(ａ)に示すように、内枠(遊技機本体枠)６から位置決め壁６ａが立ち上げられ、これに基板ケース２２ｋが位置決めされて取り付けられている場合には、基板ケース２２ｋから位置決め壁６ａを跨ぐように封印シール３０を貼着させれば良い。また、例えば図４(ｂ)に示すように、位置決め壁６ａが無い場合には、基板ケース２２ｋから内枠(遊技機本体枠)６にかけて封印シール３０を貼着させれば良い。
【００３１】
また、上述した実施の形態では、封印シール３０を剥離しようとすると、その一部が封印対象部位に残留する場合を例示したが、これに限定されることは無く、封印シール３０を分裂するように構成し、例えばその一方を基板ケース２２ｋに残留させ、その他方を内枠(遊技機本体枠)６に残留させるようにしても良い。
【００３２】
また、上述した実施の形態では、印刷層３４及びアンテナコイル４２の一部が封印対象部位に残留する場合を例示したが、これに限定されることは無く、印刷層３４の一部のみを封印対象部位に残留させるように構成しても良いし、或いは、アンテナコイルの一部又は全部(痕跡)のみを封印対象部位に残留させるように構成しても良い。
【００３３】
また、上述した実施の形態では、ＩＣタグ４０に破断ＳＷ(破壊部)６０と破壊検出部(ＣＰＵ４８)とを設けた場合を例示したが、これに限定されることは無く、破壊検出部(ＣＰＵ４８)は必ずしも必要では無く、破断ＳＷ(破壊部)６０のみをＩＣタグ４０に構築するようにしても良い。
【００３４】
また、上述した実施の形態において、例えば破断ＳＷ(破壊部)６０と印刷層３４との間に導電性の色インク液を充填させるように構成しても良い。これによれば、破断ＳＷ(破壊部)６０が破壊(破断)すると、色インク液が漏洩して広く拡散するため、封印シール３０の剥離を一見して短時間に認識することが可能となる。
【図面の簡単な説明】
【００３５】
【図１】本発明の一実施の形態に係る遊技機を正面側から見た斜視図。
【図２】(ａ)は、本発明の一実施の形態に係る遊技機を背面側から見た図、(ｂ)は、ＩＣタグが取り付けられた封印シールの平面図、(ｃ)は、同図(ｂ)のＸ−Ｘ線に沿う断面図。
【図３】(ａ)は、封印シールを剥離した状態の一例を示す断面図、(ｂ)は、封印シールを剥離した状態の他の例を示す断面図。
【図４】(ａ)は、封印シールを基板ケースから遊技機本体枠にかけて貼着した状態の一例を示す断面図、(ｂ)は、封印シールを基板ケースから遊技機本体枠にかけて貼着した状態の他の例を示す断面図。
【図５】ＩＣタグと読取装置とデータセンタとの間の通信ネットワークを模式的に示すブロック図。
【図６】遊技機の流通管理を模式的に示す図。
【符号の説明】
【００３６】
６  遊技機本体枠(内枠)
２２  制御基板(主制御基板)
２２ｋ  基板ケース
３０  封印シール
４０  ＩＣタグ
【図１】
2007296239.tif 000003
【図２】
2007296239.tif 000004
【図３】
2007296239.tif 000005
【図４】
2007296239.tif 000006
【図５】
2007296239.tif 000007
【図６】
2007296239.tif 000008